(57)【要約】【課題】  相手先の能力を把握できると共に、既存の能力交換プロトコルに拠らずに、各種能力やサービスを複数の装置で連携して実現できるシステムの出現が望まれている。【解決手段】  機器Ｂから機器Ａに対してネットワークサービスを要求して（Ｓ１）、それぞれクライアントモード及びサーバモードに設定し、機器Ａの操作部を機器Ｂの操作部で制御し、機器Ｂのスキャナで読み取って生成した画像データを機器Ａのスキャナで読み取った画像データとして扱うモードに設定し（Ｓ２，Ｓ３）、機器Ｂの操作部から入力される処理開始指示（Ｓ５）に応答して、機器Ａから機器Ｂに対して、機器Ｂのスキャナを使用した画像の読み取りを指示し（Ｓ６）、その指示に応答して機器Ｂのスキャナで読み取った画像データを機器Ａに送信し（Ｓ７）、機器Ａでは、その画像データに対して、設定情報に応じた処理を実行する（Ｓ８）。【選択図】  図１
2007336483.tif 000002
【特許請求の範囲】
【請求項１】
少なくとも操作部及び画像読取部を有し、ネットワークに接続可能な画像処理装置であって、
原稿画像の読み取りパラメータを含む画像の読み取り要求を受信すると、前記読み取りパラメータに従って前記画像読取部を駆動して前記原稿画像に対応する画像データを生成する生成手段と、
前記生成手段により生成した画像データを、前記ネットワークを介して前記読み取り要求を発行した送信元に送信する送信手段と、
前記操作部を使用した操作を、前記送信元の操作部における操作として前記送信元に処理させるように前記送信元に通知する通知手段と、
を有することを特徴とする画像処理装置。
【請求項２】
ネットワークサービス要求を前記送信元に送信する手段と、
前記送信元で前記ネットワークサービス要求が受け付けられると、当該ネットワークサービスのクライアントモードに設定する手段とを更に有することを特徴とする請求項１に記載の画像処理装置。
【請求項３】
少なくとも操作部及び画像読取部を有し、ネットワークに接続可能な画像処理装置であって、
前記ネットワークを介して、原稿画像の読み取りパラメータを含む画像の読み取り要求を相手機器に発行する要求発行手段と、
前記読み取り要求に応答して前記相手機器で読み取られた画像データを、前記ネットワークを介して受信する受信手段と、
前記受信手段により受信した画像データを前記画像読取部で読み取った画像データとして処理する処理手段と、
前記相手機器の操作部における操作情報を受信すると、当該画像処理装置の前記操作部で同様の操作がなされたものとして処理する操作制御手段と、
を有することを特徴とする画像処理装置。
【請求項４】
前記相手機器からネットワークサービス要求を受信する手段と、
前記ネットワークサービス要求に対応できるか否かを判定する判定手段とを有し、
前記判定手段により前記ネットワークサービス要求に対応できると判定されると、前記受信手段、前記処理手段及び前記操作制御手段による処理を実行させることを特徴とする請求項３に記載の画像処理装置。
【請求項５】
少なくとも操作部及び画像読取部を有し、ネットワークに接続可能な画像処理装置における制御方法であって、
原稿画像の読み取りパラメータを含む画像の読み取り要求を受信すると、前記読み取りパラメータに従って前記画像読取部を駆動して前記原稿画像に対応する画像データを生成する生成工程と、
前記生成工程で生成した画像データを、前記ネットワークを介して前記読み取り要求を発行した送信元に送信する送信工程と、
前記操作部を使用した操作を、前記送信元の操作部における操作として前記送信元に処理させるように前記送信元に通知する通知工程と、
を有することを特徴とする画像処理装置の制御方法。
【請求項６】
ネットワークサービス要求を前記送信元に送信する工程と、
前記送信元で前記ネットワークサービス要求が受け付けられると、当該ネットワークサービスのクライアントモードに設定する工程とを更に有することを特徴とする請求項５に記載の画像処理装置の制御方法。
【請求項７】
少なくとも操作部及び画像読取部を有し、ネットワークに接続可能な画像処理装置における制御方法であって、
前記ネットワークを介して、原稿画像の読み取りパラメータを含む画像の読み取り要求を相手機器に発行する要求発行工程と、
前記読み取り要求に応答して前記相手機器で読み取られた画像データを、前記ネットワークを介して受信する受信工程と、
前記受信工程で受信した画像データを前記画像読取部で読み取った画像データとして処理する処理工程と、
前記相手機器の操作部における操作情報を受信すると、当該画像処理装置の前記操作部で同様の操作がなされたものとして処理する操作制御工程と、
を有することを特徴とする画像処理装置の制御方法。
【請求項８】
前記相手機器からネットワークサービス要求を受信する工程と、
前記ネットワークサービス要求に対応できるか否かを判定する判定工程とを有し、
前記判定工程で前記ネットワークサービス要求に対応できると判定されると、前記受信工程、前記処理工程及び前記操作制御工程による処理を実行させることを特徴とする請求項７に記載の画像処理装置の制御方法。
【請求項９】
ネットワークを介して接続された複数の画像処理装置を有する画像処理システムであって、
第１装置から第２装置に対してネットワークサービスを要求することにより前記第１装置及び第２装置をそれぞれクライアントモード及びサーバモードに設定する手段と、
前記要求に応じて、前記第２装置の操作部を前記第１装置の操作部で制御し、前記第１装置の画像読取部で読み取って生成した画像データを前記第２装置の画像読取部で読み取った画像データとして扱うモードに設定する手段と、
前記第１装置の操作部を使用して設定された設定情報を前記第２装置に設定する手段と、
前記第１装置の操作部から入力される処理開始指示に応答して、前記第２装置から前記第１装置に対して、前記第１装置の画像読取部を使用した画像の読み取りを指示する指示手段と、
前記指示手段による指示に応答して前記第１装置の画像読取部で読み取った画像データを前記第２装置に送信する送信手段と、
前記送信手段により送信された前記画像データに対して、前記第２装置で前記設定情報に応じた処理を実行するように制御する手段と、
を有することを特徴とする画像処理システム。
【発明の詳細な説明】
【技術分野】
【０００１】
本発明は、少なくとも操作部及び画像読取部を有し、ネットワークに接続可能な画像処理装置及びその制御方法と画像処理システムに関する。
【背景技術】
【０００２】
多機能処理装置（ＭＦＰ）のような複合機器では、装置単体としての機能だけではなく、ネットワークに接続され、そのネットワークを介してコピーやプリント命令などを受信して動作できるようになっている。しかし、ネットワークを介してコピー命令を発行する際、そのコピー動作はスキャンとプリントとの連携動作であるが、その命令を実行する相手先の装置の能力を確認しなければ、ユーザが満足する処理を実行できない。例えば、相手先の装置がカラーコピー可能か、また印刷した記録シートを綴じるステープル機能を有しているか、また両面印刷が可能か等といった能力情報を交換する必要があった（特許文献１参照）。
【特許文献１】特開平１１−４３３５号公報
【発明の開示】
【発明が解決しようとする課題】
【０００３】
このような能力情報を交換するための能力交換プロトコルが設けられているが、この能力交換プロトコルが想定していない新たなサービスや機能が追加された場合には、その能力に関する能力情報を交換することは不可能である。従って、相手先の能力を把握できると共に、既存の能力交換プロトコルに拠らずに、各種能力やサービスを複数の装置で連携して実現できるシステムの出現が望まれている。
【０００４】
本発明の目的は上記従来技術の問題点を解決することにある。
【０００５】
また本願発明の特徴は、既存の能力交換プロトコルに拠らずに、各種能力やサービスを複数の装置で連携して実現することにある。
【課題を解決するための手段】
【０００６】
上記目的を達成するために本発明の一態様に係る画像処理装置は以下のような構成を備える。即ち、
少なくとも操作部及び画像読取部を有し、ネットワークに接続可能な画像処理装置であって、
原稿画像の読み取りパラメータを含む画像の読み取り要求を受信すると、前記読み取りパラメータに従って前記画像読取部を駆動して前記原稿画像に対応する画像データを生成する生成手段と、
前記生成手段により生成した画像データを、前記ネットワークを介して前記読み取り要求を発行した送信元に送信する送信手段と、
前記操作部を使用した操作を、前記送信元の操作部における操作として前記送信元に処理させるように前記送信元に通知する通知手段とを有する特徴とする。
【０００７】
上記目的を達成するために本発明の一態様に係る画像処理装置は以下のような構成を備える。即ち、
少なくとも操作部及び画像読取部を有し、ネットワークに接続可能な画像処理装置であって、
前記ネットワークを介して、原稿画像の読み取りパラメータを含む画像の読み取り要求を相手機器に発行する要求発行手段と、
前記読み取り要求に応答して前記相手機器で読み取られた画像データを、前記ネットワークを介して受信する受信手段と、
前記受信手段により受信した画像データを前記画像読取部で読み取った画像データとして処理する処理手段と、
前記相手機器の操作部における操作情報を受信すると、当該画像処理装置の前記操作部で同様の操作がなされたものとして処理する操作制御手段とを有する特徴とする。
【０００８】
上記目的を達成するために本発明の一態様に係る画像処理装置の制御方法は以下のような工程を備える。即ち、
少なくとも操作部及び画像読取部を有し、ネットワークに接続可能な画像処理装置における制御方法であって、
原稿画像の読み取りパラメータを含む画像の読み取り要求を受信すると、前記読み取りパラメータに従って前記画像読取部を駆動して前記原稿画像に対応する画像データを生成する生成工程と、
前記生成工程で生成した画像データを、前記ネットワークを介して前記読み取り要求を発行した送信元に送信する送信工程と、
前記操作部を使用した操作を、前記送信元の操作部における操作として前記送信元に処理させるように前記送信元に通知する通知工程とを有する特徴とする。
【０００９】
上記目的を達成するために本発明の一態様に係る画像処理装置の制御方法は以下のような工程を備える。即ち、
少なくとも操作部及び画像読取部を有し、ネットワークに接続可能な画像処理装置における制御方法であって、
前記ネットワークを介して、原稿画像の読み取りパラメータを含む画像の読み取り要求を相手機器に発行する要求発行工程と、
前記読み取り要求に応答して前記相手機器で読み取られた画像データを、前記ネットワークを介して受信する受信工程と、
前記受信工程で受信した画像データを前記画像読取部で読み取った画像データとして処理する処理工程と、
前記相手機器の操作部における操作情報を受信すると、当該画像処理装置の前記操作部で同様の操作がなされたものとして処理する操作制御工程とを有することを特徴とする。
【００１０】
上記目的を達成するために本発明の一態様に係る画像処理システムは以下のような構成を備える。即ち、
ネットワークを介して接続された複数の画像処理装置を有する画像処理システムであって、
第１装置から第２装置に対してネットワークサービスを要求することにより前記第１装置及び第２装置をそれぞれクライアントモード及びサーバモードに設定する手段と、
前記要求に応じて、前記第２装置の操作部を前記第１装置の操作部で制御し、前記第１装置の画像読取部で読み取って生成した画像データを前記第２装置の画像読取部で読み取った画像データとして扱うモードに設定する手段と、
前記第１装置の操作部を使用して設定された設定情報を前記第２装置に設定する手段と、
前記第１装置の操作部から入力される処理開始指示に応答して、前記第２装置から前記第１装置に対して、前記第１装置の画像読取部を使用した画像の読み取りを指示する指示手段と、
前記指示手段による指示に応答して前記第１装置の画像読取部で読み取った画像データを前記第２装置に送信する送信手段と、
前記送信手段により送信された前記画像データに対して、前記第２装置で前記設定情報に応じた処理を実行するように制御する手段と、
を有することを特徴とする。
【００１１】
尚、この課題を解決するための手段は、本願発明の特徴の全てを列挙しているものではなく、特許請求の範囲に記載された他の請求項及びそれら特徴群の組み合わせも発明になり得る。
【発明の効果】
【００１２】
本発明によれば、既存の能力交換プロトコルに拠らずに、各種能力やサービスを複数の装置で連携して実現できる。
【発明を実施するための最良の形態】
【００１３】
以下、添付図面を参照して本発明の好適な実施の形態を詳しく説明する。尚、以下の実施の形態は特許請求の範囲に係る本発明を限定するものでなく、また本実施の形態で説明されている特徴の組み合わせの全てが本発明の解決手段に必須のものとは限らない。
【００１４】
この実施の形態では、コピー、ファクシミリ、プリント及びスキャナ機能を有する多機能処理装置（ＭＦＰ）の場合で説明するが、本発明はこのような多機能処理装置に限定されるものではない。
【００１５】
図２は、本実施の形態に係るＭＦＰの主要部の構成を示すブロック図である。
【００１６】
このＭＦＰは、このＭＦＰ全体の動作を制御するコントローラユニット２０００を含み、このコントローラユニット２０００には、画像入力デバイスであるスキャナ２０７０や画像出力デバイスであるプリンタ２０９５が接続されている。またユーザにより操作される操作ボタンや、ユーザへのメッセージ等を表示するとともにタッチパネルとしても機能する表示部を有する操作部２０１２も接続されている。このコントローラユニット２０００は、受信データをプリンタ２０９５に出力して印刷させる機能、スキャナ２０７０で読み取った画像データをネットワークを介して送信したり、或はプリンタ２０９５に出力して印刷するコピー機能を実現するための制御を行う。更には、ＬＡＮ１００６や公衆回線（ＷＡＮ）１００８との間で画像情報やデバイス情報を送受信するための制御を行う。
【００１７】
このコントローラユニット２０００はＣＰＵ２００１を有し、このＣＰＵ２００１は、電源オン時、ＲＯＭ２００３に格納されているブートプログラムにより、ＨＤＤ２００４からオペレーションシステム（ＯＳ）をＲＡＭ２００２にロードして実行する。そして、このＯＳ上で、ＨＤＤ（ハードディスクドライブ）２００４に格納されているアプリケーションプログラムをＲＡＭ２００２にロードして実行し、これによって各種処理を実行する。ＲＡＭ２００２は更に、ＣＰＵ２００１の作業領域を提供するとともに、画像データを一時記憶するための画像メモリ領域を提供する。ＨＤＤ２００４は、ＯＳや各種アプリケーションプログラムや画像データを格納している。
【００１８】
ＣＰＵ２００１にはシステムバス２００７を介して、上述のＲＯＭ２００３，ＲＡＭ２００２及びＨＤＤ２００４が接続されている。更に、操作部Ｉ／Ｆ（操作部インタフェース）２００６、ネットワークＩ／Ｆ（ネットワークインタフェース）２０１０、モデム２０５０及びイメージバスＩ／Ｆ（イメージバスインタフェース）２００５が接続される。操作部Ｉ／Ｆ２００６は、タッチパネルを有する操作部２０１２とのインタフェースを制御しており、操作部２０１２に表示すべき画像データを操作部２０１２に出力する。また、操作部Ｉ／Ｆ２００６は、操作部２０１２において操作ボタンを使用してユーザにより入力された情報をＣＰＵ２００１に送出する。ネットワークＩ／Ｆ２０１０は、ＬＡＮ１００６に接続され、ＬＡＮ１００６を介してＬＡＮ１００６上の各機器との間で情報の交換を行う。モデム２０５０は公衆回線１００８に接続され、公衆回線１００８を介した情報の入出力を行う。
【００１９】
イメージバスＩ／Ｆ２００５は、システムバス２００７と、画像データを高速で転送する画像バス２００８とを接続し、データ形式を変換するためのバスブリッジである。画像バス２００８は、ＰＣＩバス又はＩＥＥＥ１３９４で構成される。この画像バス２００８上には、ラスタイメージプロセッサ（ＲＩＰ）２０６０、デバイスＩ／Ｆ２０２０、スキャナ画像処理部２０８０、プリンタ画像処理部２０９０、画像回転部２０３０及び画像圧縮部２０４０が接続されている。ＲＩＰ２０６０は、ＰＤＬ（ページ記述言語）コードをビットマップイメージに展開するプロセッサである。デバイスＩ／Ｆ２０２０には、スキャナ２０７０及びプリンタ２０９５が接続されている。このデバイスＩ／Ｆ２０２０は更に、画像データの同期／非同期を制御している。スキャナ画像処理部２０８０は、スキャナ２０７０から入力した画像データに対して、画像補正、加工、編集を行う。プリンタ画像処理部２０９０は、プリンタ２０９５に出力する画像データに対して、そのプリンタ２０９５の特性に応じた画像補正、解像度変換等を行う。画像回転部２０３０は、画像データの回転を行う。画像圧縮部２０４０は多値画像データをＪＰＥＧデータに、２値画像データをＪＢＩＧ，ＭＭＲ，ＭＨ等の符号化データに圧縮するとともに、その符号化データを伸張する機能も有している。
【００２０】
次に、本実施の形態に係るＭＦＰのハードウェア構成について図３を参照して説明する。
【００２１】
図３は、本実施の形態に係るＭＦＰのハードウェア構成を説明する側断面図である。ここではスキャナ２０７０とプリンタ２０９５とは、図示のように一体的に構成されている。
【００２２】
スキャナ２０７０は原稿給紙ユニット２５０を搭載している、この原稿給紙ユニット２５０は、原稿を先頭から順に１枚ずつプラテンガラス２１１上へ給送し、各原稿の読取動作が終了する毎に、その原稿をプラテンガラス２１１から排出トレイ（不図示）に排出する。スキャナ２０７０は、原稿がプラテンガラス２１１上に給送されると、ランプ２１２を点灯して原稿画像の一主走査分を読み取る。この一主走査分の画像を読み取ると移動ユニット２１３を副走査方向（図３の左右方向）に移動させる。この移動ユニット２１３の副走査方向への移動によりプラテンガラス２１１上の原稿全体の読取走査が行われる。この読取走査中、原稿からの反射光は、各ミラー２１４，２１５，２１６及びレンズ２１７を経てＣＣＤイメージセンサ（ＣＣＤ）２１８に導かれ、原稿上の画像がＣＣＤ２１８の撮像面上に結像される。これによりＣＣＤ２１８は、その結像された原稿画像を電気信号に変換して出力する。この電気信号（画像信号）は前述のデバイスＩ／Ｆ２０２０を介してスキャナ画像処理部２０８０に入力されて、その画像信号に対して所定の画像処理が実行される。
【００２３】
次にプリンタ２０９５について説明する。レーザドライバ３２１は、プリンタ画像処理部２０９０で処理された画像データに応じてレーザ発光部３２２を駆動する。これによりレーザ発光部３２２から発光されたレーザ光は、回転しているポリゴンミラーで反射されて感光ドラム３２３上を走査する。これにより感光ドラム３２３上には静電潜像が形成され、この静電潜像は現像器３２４から供給されたトナーによりトナー像として可視像化される。またレーザ光の照射タイミングに同期して、記録シートカセット３１１或は３１２から記録シートが搬送路を介して感光ドラム３２３と転写部３２５との間に給紙される。そして転写部３２５により、感光ドラム３２３上のトナー像が、その給紙された記録シート上に転写される。こうしてトナー像が転写された記録シートは、搬送ベルトを介して定着ローラ対（加熱ローラと加圧ローラ）３２６に送られ、この定着ローラ対３２６は、記録シートを熱圧して記録シート上のトナー像を記録シート上に定着させる。この定着ローラ対３２６を通過した記録シートは、排紙ローラ対３２７により排紙ユニット３３０に排紙される。この排紙ユニット３３０は、ソート、ステープル等の後処理を施すことが可能なシート処理装置である。
【００２４】
また両面記録モードが設定されている場合には、転写、定着した記録シートを排紙ローラ対３２７まで搬送した後、排紙ローラ対３２７の回転方向を逆転させ、フラッパ３２８によって再給紙搬送路３３９へ導く。こうして再給紙搬送路３３９に導かれた記録シートは、上述したタイミングで感光ドラム３２３と転写部３２５との間に再給紙され、この記録シートの裏面にトナー像が転写される。このように、このプリンタ２０９５は、カラーでの両面印刷が可能で、かつ印刷済の記録シートに対してソート、ステープル等の後処理を行うことができる。
【００２５】
図４は、本実施の形態に係るＭＦＰの操作部２０１２の外観図である。
【００２６】
液晶表示部２０１３は、液晶上にタッチパネルシートが貼られた構造となっており、このＭＦＰの操作画面を表示するとともに、その画面に表示されたキーが指等で押されるとその位置情報をコントローラユニット２０００の操作部Ｉ／Ｆ２００６に伝える。これによりＣＰＵ２００１は、その操作部２０１２で操作されたキーを判別することができる。スタートキー２０１４は、原稿画像の読み取り動作の開始やＦＡＸ送信の開始等を指示する場合に用いられる。このスタートキー２０１４の中央部には緑と赤の２色ＬＥＤ２０１８が設けられており、その発光色によってスタートキー２０１４が使える状態にあるか否かを示している。ストップキー２０１５は、稼働中の動作を停止させるときに操作される。ＩＤキー２０１６は、使用者のユーザＩＤを入力する際に使用される。またリセットキー２０１７は、操作部２０１２からの設定を初期化する場合に用いられる。
【００２７】
以下、本実施の形態に係るＭＦＰが有している各種機能について説明する。
【００２８】
＜プルスキャンサービス＞
プルスキャンサービスは、ＭＦＰで原稿を読み取って生成した画像データを、ネットワークＩ／Ｆ２０１０を介して、そのプルスキャンサービスを要求したクライアントに送信するサービスのことである。
【００２９】
まず、クライアントはスキャナドライバを起動し、ＭＦＰを特定した上でスキャンパラメータを含むスキャンサービス要求を当該ＭＦＰに対し送信する。ＣＰＵ２００１は、ネットワークを介して、スキャンパラメータを含むプルスキャンサービス要求を受信すると、その受信したスキャンパラメータと、ＭＦＰの状態に基づいて、そのサービスを実行可能かどうかを判断する。ここで実行不可能と判断すると、その理由となるＭＦＰの状態、或は、どのスキャンパラメータのために実行できないのかを、その要求したクライアントに返信する。一方、実行可能と判断した場合は、その受信したスキャンパラメータを、自機ＭＦＰのスキャナ２０７０に対して設定する。そして、そのスキャナ２０７０により原稿を読み取り、その読み取って生成した画像データをスキャナ画像処理部２０８０で補正して出力用画像データを生成する。そして、原稿を１枚読み取る度に、その出力用画像データを、そのプルスキャンを要求したクライアントに送信する。そして全ての原稿の読み取りを終了すると、そのクライアントにプルスキャンの終了通知を送信する。
【００３０】
ここで、スキャンパラメータには、以下のものが含まれる。即ち、ここでは、読取解像度、読取色、読取諧調、読取サイズ（自動を含む）、出力用画像データの色空間情報（ＮＴＳＣ／Ｌａｂ等）、両面読取、原稿サイズの混載等を指示する情報が含まれているものとする。
【００３１】
＜仮想スキャニングモード＞
仮想スキャングモードは、ネットワークＩ／Ｆ２０１０から入力された画像データを、恰も、自機ＭＦＰのスキャナ２０７０で走査して読み取った画像データとして扱うモードである。
【００３２】
この仮想スキャニングモードに入ると、ＣＰＵ２００１は、スキャナ２０７０の状態を「使用中」にする。次に、ネットワークＩ／Ｆ２０１０により画像データが受信されると、ＣＰＵ２００１は、その受信した画像データをＨＤＤ２００４に格納するとともに、その画像データをスキャナ２０７０から入力したものとして、画像データの格納位置情報を付加して原稿読取待ちのプログラムに送る。これにより、その原稿読取待ちのプログラムは、そのプログラム内に仮想スキャニングモードといった特別なモードを有していなくても、このＭＦＰのスキャナ２０７０で原稿を読み取った場合と同様に動作することができる。
【００３３】
＜操作部外部コントロールモード＞
操作部外部コントロールモード要求を受信すると、ＣＰＵ２００１は操作部２０１２でユーザが操作中か、又はＭＦＰが他のユーザによって専有中であるか等を判断し、このような場合には、その要求を受け付けない。ここで操作部外部コントロールモードに移行できると判断した場合は操作部外部コントロールモードに設定する。一方、前述の理由などにより、そのモードに移行できないと判断した場合には、その理由を要求元（操作部クライアント）に返信する。
【００３４】
操作部外部コントロールモードに移行した場合は、ＣＰＵ２００１は、ＣＰＵ２００１と操作部Ｉ／Ｆ２００６との間でやり取りされる操作部制御情報通信を、ネットワークＩ／Ｆ２０１０を介して外部の操作部クライアントにも送信する。また逆に、ネットワークＩ／Ｆ２０１０から操作部に関する情報を受信した場合は、その情報を操作部制御情報に変換して操作部Ｉ／Ｆ２００６に送信する。これにより、このＭＦＰ本体の操作部２０１２が、ネットワークなどを介して操作部クライアント（他の機器）から操作可能にできる。この一例には、ＶＮＣ（Virtual Network Computing）がある。尚、このＶＮＣは、ネットワークを介して接続された他のコンピュータの画面を遠隔操作するソフトウェアである。
【００３５】
＜操作部外部スレーブモード＞
この操作部外部スレーブモードは、上述の操作部外部コントロールモードであるだけではなく、自機ＭＦＰの操作部２０１２での操作をできなくするモードである。
【００３６】
この操作部外部スレーブモードになると、ＣＰＵ２００１は、操作部２０１２のタッチパネル２０１３、ハードキー２０１４〜２０１６による入力を検知するキー入力情報生成プログラムの動作を停止する。これにより、操作部２０１２を使用した操作ができなくなり、操作部クライアント（ネットワーク上の他の機器）からの操作部制御情報に従って制御されることになる。但し、自機の操作部２０１２のリセットキー２０１７の入力に対してだけはキー入力情報生成プログラムの動作が実行される。よって、この操作部外部スレーブモードでリセットキー２０１７が押下されると、操作部２０１２の表示部２０１３には、『外部制御中、この画面表示中にリセットキーを押下すると制御機器に対して制御解放要求を出すことが可能です。』というメッセージが表示される。このメッセージが表示されている間に、再度リセットキー２０１７が押下されると、ＣＰＵ２００１は再度、『外部制御を中止する』というメッセージと、ソフトキー（［ＯＫ］キー）を一定時間表示する。
【００３７】
この操作部外部スレーブモードは、操作部外部コントロールモードでもあるので、これらメッセージはそのまま操作部クライアントでも表示されている。そして、この表示されているソフトキー［ＯＫ］がＭＦＰの操作部タッチパネル２０１３でタッチされても、このＭＦＰのキー入力情報生成プログラムが停止しているため受け付けられない。従って、このソフトキーは、操作部クライアントでしか押下できないことになる。こうして操作部クライアントの表示部に表示された、このソフトキー［ＯＫ］が押下（指示）されると、この操作部外部スレーブモードが中止される。
【００３８】
このように操作部スレーブモードにある機器（ＭＦＰ）でリセットキー２０１７が押されると、その操作部スレーブモードを中止するかどうかのメッセージを、その操作部スレーブモードを利用している操作部クライアントで表示して、そのユーザに確認させる。そして、その操作部クライアントのユーザが了承した場合にのみ、その操作部スレーブモードを解除することができるようにしている。
【００３９】
＜操作部クライアントモード＞
操作部クライアントモードは、ＭＦＰの操作部２０１２から、ネットワークを介して接続されている他の機器（外部機器）に対して上述の操作部外部コントロールモードを要求し、その外部機器の操作部を制御するモードである。
【００４０】
操作部クライアントモード要求を受け付けると、ＣＰＵ２００１は、その指示された外部機器に対して操作部外部コントロール要求を発行する。その外部機器において、その要求が受け付けられると、ＣＰＵ２００１は、ＣＰＵ２００１と操作部Ｉ／Ｆ２００６との間の通信内容を、ネットワークＩ／Ｆ２０１０を介して、その外部機器に送信する。また逆に、ネットワークＩ／Ｆ２０１０を介して、その外部機器における操作部への表示情報を受信した場合は、その表示情報を、自機ＭＦＰの操作部２０１２への表示情報に変換する。そして、その表示情報を操作部Ｉ／Ｆ２００６に出力することにより、このＭＦＰの操作部２０１２により、その外部機器の操作部での操作を可能にする。この一例としてＶＮＣがある。
【００４１】
この状態で、自機ＭＦＰの操作部２０１２のリセットキー２０１７が押下されると、そのリセットキー２０１７のキーコードが、操作部制御情報としてネットワークＩ／Ｆ２０１０を介して、その外部機器に送信される。これを受信した外部機器は、『外部制御中、この画面表示中にリセットキーを押下すると制御機器に対して制御解放要求を出すことが可能です』というメッセージを一定時間表示する。このメッセージが表示されている間、その外部機器で再度、リセットキー２０１７が押下されると、その外部機器では再度、『外部制御を中止する』というメッセージと、ソフトキー（［ＯＫ］キー）を一定時間表示する。ここで［ＯＫ］キーが押下（指示）されると、このキーコードが操作部制御情報として、その外部機器の操作部サーバに送信される。これにより、その外部機器における操作部外部コントロールモードが中止され、自機ＭＦＰにおける操作部外部スレーブモードも中止される。
【００４２】
＜ネットワークサービスシステムの構築と標準動作＞
ネットワークサービス（以下、ＮＳ）は、複数機器のスキャナと、それに対する出力（データの格納やデータ処理を含む）サービスを連携して、一つのサービスとしてユーザに提供するものである。
【００４３】
このシステムは、本実施の形態に係るネットワークに接続された機器同士で行われ、出力サービスを提供する機器をＮＳサーバ、スキャナ機能を提供する機器をＮＳクライアントと呼ぶ。ここでＮＳクライアントがネットワーク内のＮＳサーバと連携する状態であることを、ＮＳシステムを構築した状態と呼ぶ。
【００４４】
図１は、本実施の形態に係るＮＳシステムを構築する仕組みと、そのＮＳシステムにおける動作を説明する図である。ここでは、ネットワークに接続されている機器ＡとＢを例にして説明する。尚、ここで機器Ａ，Ｂは、前述したＭＦＰに相当する機器とする。
【００４５】
図５は、機器Ｂの表示部２０１３に表示される機能選択画面の一例を示す図である。ここでは各機能を指示するためのアイコンが複数表示されている。
【００４６】
図５では、コピー機能を指示するアイコン５０１、ＦＡＸ機能を指示するアイコン５０２等が表示されている。いま機器Ｂのユーザがアイコン５０２を指示して、ＦＡＸ機能５０２を選択したとする。ここで機器Ｂにはネットワークを介した通信機能が備わっているがＦＡＸ回線が接続されていないとする。この場合、機器Ｂは、そのネットワークのＮＳサーバからＦＡＸ機能を備える機器を検索する。
【００４７】
図６は、この検索中に機器Ｂの表示部２０１３に表示される画面例を示す図である。ここではネットワークサービスの検索中であることを示すメッセージが表示されている。
【００４８】
この検索により、ＦＡＸ機能を有する機器Ａを探し出すとステップＳ１（図１）に進む。このステップＳ１では、機器Ｂ（ＮＳクライアント）から機器Ａ（ＮＳサーバ）に対してＮＳ要求を発行する。
【００４９】
これによりステップＳ２で、機器Ａは、このＮＳ要求を受信して、そのＮＳ要求を実行可能かどうかを判断する。ここで実行可能であると判断するとＮＳサーバモードに移行して機器ＢにＮＳ応答を返す。これにより機器Ａは、その機器Ａの操作部２０１２が機器Ｂで制御される操作部外部コントロールモードになると共に、ネットワークを介して受信した画像データを、恰も機器Ａでスキャンして読み取った画像データであるかのように扱う仮想スキャニングモードになる。
【００５０】
次にステップＳ３で、機器Ｂは、このＮＳ応答を受信してＮＳクライアントモードになる。また機器Ｂは、機器Ａの操作部２０１２を制御する操作部クライアントモードになるとともに、機器Ｂのスキャナ２０７０はプルスキャン要求待ちになる。
【００５１】
この状態でＮＳシステムが構築されたことになるため機器Ｂの画面は、図７に示すように、機器ＡのＦＡＸ操作画面を表示する。
【００５２】
図７は、機器Ｂの操作部の表示部２０１３に表示されるＦＡＸ操作画面の一例を示す図である。
【００５３】
その後ステップＳ４で、機器Ｂのユーザは機器Ｂの操作部２０１２を介して機器Ａの操作部を制御して、機器Ａに対してジョブを設定する。そして機器Ｂに表示された機器Ａの操作画面での設定が完了し、ステップＳ５で、機器Ｂの操作部２０１２のスタートキー２０１４が押下されると、その操作情報が機器Ａに通知される。これによりステップＳ６で機器Ａは、機器Ｂに対してスキャンパラメータとともにプルスキャン要求を発行して、機器Ｂにより原稿を読み取るように要求する。
【００５４】
次にステップＳ７で、機器Ｂが、このプルスキャン要求を受信すると、そのスキャンパラメータ等を参照して、その要求された原稿読み取りを実行できるかどうかを判定する。ここで実行可能と判定すると、機器Ａにプルスキャン応答を返す。これとともにスキャナ２０７０で原稿をスキャンして読み取ってプルスキャンイメージデータを生成し、それを機器Ａに送信する。一方、実行できないと判定した場合は、その理由と共に、その旨を機器Ａに通知する。
【００５５】
次にステップＳ８で、機器Ａは、機器Ｂからプルスキャンイメージデータを受信し、そのイメージデータを、自機Ａで走査して読み取った場合に、そのイメージデータを格納するメモリに格納する。これにより機器Ａのスキャナを使用して原稿を読み取った状態と等価な状態となる。
【００５６】
こうしてステップＳ９で、機器Ｂで、指定された全ての原稿を読み取ると、機器Ｂから機器Ａに対してプルスキャン終了通知を送る。そして機器Ｂは、機器ＡにおいてＦＡＸ送信ジョブが完了したと判断し、次にステップＳ１０で、ＮＳ終了要求を機器Ａに送信する。こうしてＮＳシステムを解除すると共に、機器Ｂにおける操作部クライアントモードとプルスキャンモードを終了する。これにより機器Ａは、ステップＳ１１で、ＮＳ終了要求を受信して、機器Ａにおける操作部外部コントロールモードと仮想スキャニングモードを終了する。
【００５７】
＜プルスキャンの継続＞
以上が一般的な動作であるが、例えば、ＡＤＦを使用せずに一枚ずつ原稿を読み取る場合には、１ページの原稿を読み取る度に、原稿の読み取り終了となる。このため機器ＢはステップＳ９に進み、プルスキャン終了を機器Ａに通知する。次にユーザが原稿を変えて再び、機器Ｂのスタートキー２０１４を押下すると、新たなその操作情報が機器Ａに通知される。これにより機器Ａは再びステップＳ６に戻り、機器Ｂに対してプルスキャン要求を発行する。このようにして、ＡＤＦを使用しない場合でも、機器Ｂで操作しているユーザは、恰もその機器Ｂでジョブを実行しているかのように操作することが可能になる。
【００５８】
＜プルスキャン不能通知＞
上述のステップＳ６で、例えばカラースキャンが要求されているのに、機器Ｂのスキャナ２０２０が白黒のみの読み取り機能を有していない場合は、機器Ａから受信したプルスキャン要求のスキャンパラメータを実行できないと機器Ｂが判断する。そして、機器Ｂから機器Ａに、どのパラメータが実行できないかを文字列で送信する。これを受信した機器Ａでは受信した文字列を図８に示すようにワーニングメッセージ８０１で表示する。
【００５９】
図８は、機器Ａの表示部２０１３に表示されたワーニングメッセージの表示例を示す図である。
【００６０】
ここでは、機器Ｂが「カラー読み取りを実行できない」旨が表示されている。
【００６１】
この表示は、そのまま機器Ｂの操作部２０１２にも表示されるため、機器Ｂで操作しているユーザは、機器Ｂがそのワーニングを表示している状態と同様に処理できる。
【００６２】
以上の説明を基に、本実施の形態に係る機器（ＭＦＰ）における処理について説明する。
【００６３】
図９は、本実施の形態１に係るＭＦＰにおける処理を説明するフローチャートで、この処理を実行するプログラムはＨＤＤ２００４にインストールされており、実行時にＲＡＭ２００２にロードされ、ＣＰＵ２００１の制御の下に実行される。尚、この図９のフローチャートは、ＭＦＰが前述の機器Ｂの場合の処理に相当している。
【００６４】
このフローチャートで示す処理は、例えばユーザが操作部２０１２を使用して、何らかの処理を要求する命令を入力することにより開始される。まずステップＳ１０１で、その入力された命令を自機で実行可能かどうかを判断する。例えば前述のようにＦＡＸ機能が要求された場合には、ＦＡＸ回線に接続されていてスキャナによる原稿の読み取りが可能であれば、その要求された機能が実行可能であると判断する。その場合はステップＳ１０２に進み、その要求された処理を実行する。これは周知の技術であるため、その説明を省略する。
【００６５】
ここでもし、その要求された機能が自機で実行できない場合はステップＳ１０３に進み、接続されているネットワークを検索して、その機能を実行できる他の機器が存在しているかどうかをみる。そしてステップＳ１０４で、その機能を実行できる機器が見つかったかどうかを判断し、見つかった場合はステップＳ１０５に進み、その相手機器（図１の例では機器Ａ（ＮＳサーバ））に対してＮＳ要求を発行する。一方、ステップＳ１０４で、該当する機器が発見できない場合、或は次のステップＳ１０６で、ＮＳ要求に対する応答が受信できない場合は、その指定された機能を実行できないため、操作部２０１２にその旨を表示して、そのまま処理を終了する。
【００６６】
ステップＳ１０６で、相手機器からＮＳ応答を受信するとステップＳ１０７に進み、自機をＮＣクライアントモードで、かつ相手機器の操作部を操作する操作部クライアントモードに設定する。この場合は、自機の操作部２０１２には相手機器の操作部と同じ画面が表示される。次にステップＳ１０８に進み、その相手先のＮＳサーバに対して、自機の操作部２０１２を使用して設定されたジョブを送信して設定する。次にステップＳ１０９で、自機の操作部２０１２のスタートキー２０１４が押されてジョブの開始が指示されたかどうかを判定し、ジョブスタートが指示されないときはステップＳ１０８に戻って前述の処理を実行する。ステップＳ１０９で、ジョブの開始が指示されるとステップＳ１１０に進み、そのジョブの開始が指示されたことをＮＳサーバに通知する。次にステップＳ１１１で、ＮＳサーバから、そのジョブに応じた処理の実行要求を受信する。これは例えば前述の例では、プルスキャン要求に相当している。次にステップＳ１１２で、その指示された処理を実行する。次にステップＳ１１３で、その処理が終了したかを判別し、終了してないときはステップＳ１１２に戻って前述の処理を実行する。そして処理を終了したときはステップＳ１１４に進み、その処理の終了を通知する。これは前述の図１の例では、プレスキャンの終了通知に相当している。次にステップＳ１１５に進み、ＮＳ終了要求をＮＳサーバに送信して処理を終了する。
【００６７】
図１０は、本実施の形態１に係るＭＦＰにおける処理を説明するフローチャートで、この処理を実行するプログラムはＨＤＤ２００４にインストールされており、実行時にＲＡＭ２００２にロードされ、ＣＰＵ２００１の制御の下に実行される。尚、この図１０のフローチャートは、ＭＦＰが前述の機器Ａの場合の処理に相当している。
【００６８】
まずステップＳ２０１で、ＮＳクライアントとなる機器（図１の例では機器Ｂ）からＮＳ要求を受信したかどうかを判定し、受信するとステップＳ２０２に進んで、そのＮＳ要求で要求された処理を実行できるかどうかを判断する。実行できると判断するとステップＳ２０３で、ＮＳ応答を、その要求してきた機器に送信する。次にステップＳ２０４で、操作部外部コントロールモードを設定して、自機の操作部２０１２の機能をＮＳクライアントの操作部で実行するように設定する。次にステップＳ２０５に進み、ＮＳクライアントからジョブ設定を受信し、ステップＳ２０６で、その設定されたジョブの開始が指示されるのを待つ。
【００６９】
ＮＳクライアントの操作部２０１２でスタートキーが押されると、そのジョブスタート指示が受信されるためステップＳ２０７に進む。ステップＳ２０７では、ＮＳクライアントに対して、そのジョブを実行するための処理要求を発行する。これは前述の図１の例では、プルスキャン要求に相当している。そしてステップＳ２０８で、その処理要求に応じてＮＳクライアントから送信されるデータを受信する等の、その指示された処理に対応する処理を実行する。そしてステップＳ２０９で、その処理の終了及び、ＮＳ終了が通知されるとステップＳ２１０に進み、ステップＳ２０４で設定した操作部外部コントロールモードを解除して、元の動作モードに戻る。
【００７０】
またステップＳ２０２で、ＮＳ要求で要求された処理を実行できないと判断するとステップＳ２１１に進み、ＮＳ応答を返さずに、その要求された処理を実行できない旨を通知してステップＳ２０１に戻る。
【００７１】
以上説明した様に本実施の形態１によれば、要求された処理を自機で実行できない場合、或は他に処理能力が大きい機器が存在している場合は、その処理を、ネットワークを介して接続された相手機器と連携して実行することができる。
【００７２】
［実施の形態２］
前述の実施の形態１では、処理機能が選択されるとＮＳシステムを構築していた。これに対して実施の形態２では、ある処理機能が設定されると、その機能を自機で可能か、或は外部機器のＮＳを利用して可能になるかを区別することなくなく表示する。そしてＮＳを使用する必要がある設定がなされた場合に初めてＮＳシステムを構築する場合で説明する。
【００７３】
図１１は、図５の操作画面でコピー機能５０１が指示された場合に、ＭＦＰの操作部２０１２の表示部２０１３に表示されるコピー機能設定画面の一例を示す図である。
【００７４】
実行機器インディケータ１１０１は、設定がなされていない場合、ＮＳで機器を検索する優先順を表示している。この実行機器インディケータ１１０１を指示することにより、検索する機器の優先順を変更したり、ＮＳシステムを構築する機器を指定できる。ここで特定の機器を指定した場合は、前述の実施の形態１と同様のステップで、その指定した機器を探してＮＳシステムを構築する。
【００７５】
本実施の形態２に係るＭＦＰでは、単純なコーナステープルは実行可能だが、「中とじ」といった記録シートの真中を閉じて、記録シートを二つ折りにする高度な「中とじステープル」は実行できないものとする。
【００７６】
図１１で、ソート１１０２が選択されると、図１２に示すソート設定画面が表示される。
【００７７】
図１２は、実施の形態２に係るＭＦＰの操作部２０１２に表示されるソート設定画面の一例を示す図である。
【００７８】
未設定状態では、ステープルを行わないソート（１部ごと）１２０１が設定されている。図１２でステイプルソート１２０２が選択されると、図１２の画面は図１３の様に変化する。
【００７９】
図１３は、実施の形態２に係るＭＦＰの操作部２０１２に表示されるステイプルソートが指示された状態を示す画面の一例を示す図である。
【００８０】
ここで更なる設定画面を呼び出すため、「次へ」１２０３が指示されると図１４に示す設定画面になる。
【００８１】
図１４は、実施の形態２に係るＭＦＰの操作部２０１２に表示されるステイプルソートの設定画面の一例を示す図である。
【００８２】
図１４で「中とじ」１２０４を選択し、更に次の選択画面を呼び出す「次へ」１２０５が指示されると、ここで前述の実施の形態１で述べたのと同様のステップで、その「中とじステープル」を実行可能なＮＳを検索する。その検索の結果、その機能を実行する機器が発見されると図１５の画面が表示される。
【００８３】
図１５は、検索した機器によりステイプルソートを実行する記録シート（用紙）のサイズを選択する画面例を示す図である。
【００８４】
ここで、実行機器インディケータ１５０１は、図１１の実行機器インディケータ１１０１と連動している。ここに表示される機器は、現在設定されている機能を実行可能で、指定されている検索順で一番優先順位の高い機器である。この実行機器インディケータ１５０１で、他の実行機器を選択することも可能である。
【００８５】
いま図１５の状態で、「ＯＫ」１５０２が指示されると、前述の実施の形態１で述べたのと同じ処理を経て、実行するＮＳシステムを構築して図１６示す画面を表示する。
【００８６】
図１６は、実行機器でコピー処理を実行する際の操作画面例を示す図である。
【００８７】
図１６では、実行機器インディケータ１６０１は、図１５の実行機器インディケータ１５０１と同じ機器を指示している。こうして、この実行機器インディケータ１６０１で指定された機器により、コピー及び、そのコピーしたシートの「中とじステープル」処理が実行される。
【００８８】
以上説明したように本実施の形態によれば、ＶＮＣなどの相手先機器の操作部を制御する制御方式と仮想スキャニングモードとを用いて相手先機器の機器設定を行い、ネットワークを介してこれら機器同士で連携して、所望の処理を実現することができる。例えば、原稿の読み取りをユーザが実際に操作している機器で実行し、相手先機器で、その読み取った画像データの記憶や送信などを行うことができる。そして、連携先の装置で新たなサービスが追加されたときにも新たな能力交換プロトコルを追加しなくとも、利用可能となる。また、連携元でも新たなサービスを利用するためのプログラムをインストール等する必要もなく、連携先が有する操作画面、動作プログラムを利用することができる。このようにして互いに機器の能力を把握しながら、かつ機器間の能力交換プロトコルによらない連携システムとそのための機器を提供できる。そして、これにより容易に連携元のスキャナの能力と連携元のスキャン画像の処理能力とを組み合わせた処理を実現できるとともに、機器の組み合わせを自由に選択することにより種々の処理を実現できる。また、連携先装置が元々有している機能（ＶＮＣ機能、プルスキャン機能、スキャン画像の処理機能）を有機的に組み合わせて以上のような機器同士の連携機能を実現するので、新たな設計工数を多く増大させることもない。
【００８９】
（他の実施形態）
以上、本発明の実施形態について詳述したが、本発明は、複数の機器から構成されるシステムに適用しても良いし、また一つの機器からなる装置に適用しても良い。
【００９０】
なお、本発明は、前述した実施形態の機能を実現するソフトウェアのプログラムを、システム或いは装置に直接或いは遠隔から供給し、そのシステム或いは装置のコンピュータが該供給されたプログラムを読み出して実行することによっても達成され得る。その場合、プログラムの機能を有していれば、形態は、プログラムである必要はない。
【００９１】
従って、本発明の機能処理をコンピュータで実現するために、該コンピュータにインストールされるプログラムコード自体も本発明を実現するものである。つまり、本発明のクレームでは、本発明の機能処理を実現するためのコンピュータプログラム自体も含まれる。その場合、プログラムの機能を有していれば、オブジェクトコード、インタプリタにより実行されるプログラム、ＯＳに供給するスクリプトデータ等、プログラムの形態を問わない。
【００９２】
プログラムを供給するための記録媒体としては、様々なものが使用できる。例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などである。
【００９３】
その他、プログラムの供給方法としては、クライアントコンピュータのブラウザを用いてインターネットのホームページに接続し、該ホームページからハードディスク等の記録媒体にダウンロードすることによっても供給できる。その場合、ダウンロードされるのは、本発明のコンピュータプログラムそのもの、もしくは圧縮され自動インストール機能を含むファイルであってもよい。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明のクレームに含まれるものである。
【００９４】
また、本発明のプログラムを暗号化してＣＤ−ＲＯＭ等の記憶媒体に格納してユーザに配布する形態としても良い。その場合、所定の条件をクリアしたユーザに対し、インターネットを介してホームページから暗号化を解く鍵情報をダウンロードさせ、その鍵情報を使用することにより暗号化されたプログラムが実行可能な形式でコンピュータにインストールされるようにする。
【００９５】
また、コンピュータが、読み出したプログラムを実行することによって、前述した実施形態の機能が実現される形態以外の形態でも実現可能である。例えば、そのプログラムの指示に基づき、コンピュータ上で稼動しているＯＳなどが、実際の処理の一部または全部を行ない、その処理によっても前述した実施形態の機能が実現され得る。
【００９６】
更に、記録媒体から読み出されたプログラムが、コンピュータに挿入された機能拡張ボードやコンピュータに接続された機能拡張ユニットに備わるメモリに書き込まれるようにしてもよい。この場合、その後で、そのプログラムの指示に基づき、その機能拡張ボードや機能拡張ユニットに備わるＣＰＵなどが実際の処理の一部または全部を行ない、その処理によって前述した実施形態の機能が実現される。
【図面の簡単な説明】
【００９７】
【図１】本実施の形態に係るＮＳシステムを構築する仕組みと、そのＮＳシステムにおける動作を説明する図である。
【図２】本実施の形態に係るＭＦＰの主要部の構成を示すブロック図である。
【図３】本実施の形態に係るＭＦＰのハードウェア構成を説明する側断面図である。
【図４】本実施の形態に係るＭＦＰの操作部の外観図である。
【図５】実施の形態に係る機器Ｂの表示部に表示される機能選択画面の一例を示す図である。
【図６】実施の形態における検索中に機器Ｂの表示部に表示される画面例を示す図である。
【図７】実施の形態に係る機器Ｂの操作部の表示部に表示されるＦＡＸ操作画面の一例を示す図である。
【図８】実施の形態に係る機器Ａの表示部に表示されたワーニングメッセージの表示例を示す図である。
【図９】本発明の実施の形態１に係るＭＦＰにおける処理を説明するフローチャートである。
【図１０】本実施の形態１に係るＭＦＰにおける処理を説明するフローチャートである。
【図１１】本発明の実施の形態２において、コピー機能が指示された場合に、ＭＦＰの操作部の表示部に表示されるコピー機能設定画面の一例を示す図である。
【図１２】実施の形態２に係るＭＦＰの操作部に表示されるソート設定画面の一例を示す図である。
【図１３】実施の形態２に係るＭＦＰの操作部に表示されるステイプルソートが指示された状態を示す画面の一例を示す図である。
【図１４】実施の形態２に係るＭＦＰの操作部に表示されるステイプルソートの設定画面の一例を示す図である。
【図１５】実施の形態２において、検索した機器によりステイプルソートを実行する記録シートのサイズを選択する画面例を示す図である。
【図１６】実施の形態２において、実行機器でコピー処理を実行する際の操作画面例を示す図である。
【図１】
2007336483.tif 000003
【図２】
2007336483.tif 000004
【図３】
2007336483.tif 000005
【図４】
2007336483.tif 000006
【図５】
2007336483.tif 000007
【図６】
2007336483.tif 000008
【図７】
2007336483.tif 000009
【図８】
2007336483.tif 000010
【図９】
2007336483.tif 000011
【図１０】
2007336483.tif 000012
【図１１】
2007336483.tif 000013
【図１２】
2007336483.tif 000014
【図１３】
2007336483.tif 000015
【図１４】
2007336483.tif 000016
【図１５】
2007336483.tif 000017
【図１６】
2007336483.tif 000018